(57)【特許請求の範囲】
【請求項１】
仏壇本体の下部に椅子を収納する仏壇であり、かつ前記仏壇本体の両側面部が両側板に支持されているとともに、該仏壇本体の下部に、背もたれを仏壇本体の前面側に向けて収納される椅子を備えており、さらに前記仏壇本体の幅が、前記背もたれの幅とほぼ等しい仏壇であって、
前記側板の前記仏壇本体の前面側の側端部が、前記椅子の背もたれの両側を持って引き出せるように緩やかな曲線部に形成されてなる仏壇。 
【発明の詳細な説明】
【０００１】
【発明の属する技術分野】
本発明は仏壇に関する。さらに詳しくは、長期間座っていても足腰が疲れない椅子を収納する仏壇に関する。
【０００２】
【従来の技術】
従来より知られている仏壇の中には、専用仏壇台の上に載せられた仏壇本体の扉を明けて、その前で椅子に座って拝むようにしたものがある。
【０００３】
このとき使用される椅子は、仏壇の前に据え置くことができる椅子、たとえば折りたたみ椅子、座部の形状が丸や四角などの丸椅子や角椅子などの自由に移動できる軽量な椅子であれば、とくに限定されるものではないが、一々持ち出して使用するのは面倒であるため、仏壇台の中に収納するようにしている。
【０００４】
このため、仏壇台の形状は両開きの箱型であるとともに、収納椅子としては丸椅子や角椅子などが用いられている。
【０００５】
【発明が解決しようとする課題】
かかる仏壇台に設けられる収納スペースには、数珠、線香または経本などの収納部も設けているため、椅子の収納スペースは狭くなる。
【０００６】
したがって、この狭いスペースに収納される椅子が小さいことから、丸椅子や角椅子には背もたれがないことが多く、座部が小さくなっている。このため、しばらく座っていると、足腰に負担がかかり、長期間座っていることができない。
【０００７】
本発明は、叙上の事情に鑑み、長期間座っていても疲れない椅子を収納する仏壇を提供することを目的とする。
【０００８】
【課題を解決するための手段】
本発明の仏壇は、仏壇本体の下部に椅子を収納する仏壇であり、かつ前記仏壇本体の両側面部が両側板に支持されているとともに、該仏壇本体の下部に、背もたれを仏壇本体の前面側に向けて収納される椅子を備えており、さらに前記仏壇本体の幅が、前記背もたれの幅とほぼ等しい仏壇であって、
前記側板の前記仏壇本体の前面側の側端部が、前記椅子の背もたれの両側を持って引き出せるように緩やかな曲線部に形成されてなることを特徴とする。 
【００１０】
【発明の実施の形態】
つぎに、添付図面に基づいて本発明の仏壇を説明する。
【００１１】
図１は本発明の仏壇の一実施の形態を示す正面図、図２は図１の仏壇の斜視図、図３は図１の仏壇の扉が開いた状態および椅子を斜めに引き出した状態を示す図、図４は本発明の仏壇の参考例を示す正面図、図５は図４の仏壇の斜視図、図６は図４の仏壇の扉が開いた状態および椅子を斜めに引き出した状態を示す図である。
【００１２】
図１〜３に示されるように、本発明の一実施の形態にかかわる仏壇Ａは、仏壇本体１、両側板２、２および椅子３から構成されている。
【００１３】
前記仏壇本体１は、両側面部が支持具４を用いて前記両側板２、２に支持されており、前面に開口が形成される箱状の本体５と、前記開口を開閉するために、真ちゅう製ヒンジなどにより前記本体５に取り付けられた両開きの扉６と、前記本体５の内部を仕切り板７により区画される安置部８および収納部９とを備えている。この安置部８には位牌などが安置されるとともに、内部ステージを照らす、ハロゲンランプなどの照明灯１０が設置されている。また、内部には、彫刻や金箔などによる美的処理を施してもよいが、木目を基調とする、実質的に平滑な表面に処理してもよい。前記収納部９は、上下２段にされており、上段には、引き出されたのち、くだものなどのお供え物または香炉などが載置される膳引き１１と数珠、線香または経本などが収納されるひきだし１２が配置されている。
【００１４】
前記側板２の側端部２ａは、前記仏壇本体１の前面側の位置に隙間を設けて、前記椅子３の背もたれ１３の両側を持って引き出せるように緩やかな曲線部に形成されている。
【００１５】
前記椅子３は、背もたれ１３、座部１４および脚部１５からなり、該背もたれ１３および座部１４には、クッション１６が設けられている。この椅子３は、前記仏壇本体１の下部に、背もたれ１３を仏壇本体１の前面側、本実施の形態では、収納部９に向けて収納されている。この背もたれ１３および座部１４の幅は、仏壇本体１の幅とほぼ同じ位にされている。したがって、座る部分を大きく設定することができるとともに、背もたれ１３に寄り掛かりゆったりと座部１４に座ることができるので、長時間座っていても足腰が疲れることがない。また、幅をほぼ同じにするとともに、同じ材料で仕上げることにより、連続性のあるすっきりした外観にすることができる。
【００１６】
つぎに本発明の仏壇の参考例を説明する。この仏壇Ｂは、図４〜６に示されるように、仏壇本体２１、支持台２２および椅子２３から構成されている。
【００１７】
前記仏壇本体２１は、支持台２２に固定または嵌め合わせなどにより載置されており、前面に開口が形成される箱状の本体２４と、前記開口を開閉するために、真ちゅう製ヒンジなどにより前記本体２４に取り付けられた両開きの扉２５と、前記本体２４の内部に形成される安置部２６とを備えている。この安置部２６には位牌などが安置されるとともに、内部ステージを照らす、ハロゲンランプなどの照明灯２７が設置されている。また、安置部２６の内部は、前記実施の形態の安置部８と同様に、木目を基調とする、実質的に平滑な表面に処理することができる。
【００１８】
前記支持台２２は、両側の脚部２８と載置部２９とからなり、断面がコ字状を呈している。そして、該支持部２２の内部の載置部２９側には、膳引き３０とひきだし３１からなる収納部３２が配置されている。
【００１９】
前記椅子２３は、支持台２２の内部に、背もたれ３３を仏壇本体２１の前面側に向けて収納されている。この椅子２３は、前記椅子３と同様に背もたれ３３、座部３４および脚部３５からなり、該背もたれ３３および座部３４には、クッション３６が設けられている。この背もたれ３３および座部３４の幅は、仏壇本体２１の幅とほぼ同じ位にされている。したがって、座る部分を大きく設定することができるとともに、背もたれ３３に寄り掛かりゆったりと座部３４に座ることができるので、長時間座っていても足腰が疲れることがない。また、背もたれ３３と前記支持台２２の脚部２８とのあいだには、少なくとも手のひらが入れる程度の隙間が設けられている。これにより、椅子２３は、かかる隙間に手を差し込んだのち、前記椅子２３の背もたれ３３の両側を持って引き出すようにされている。なお、前記脚部の両端部を一部切欠き、この切欠きに手を差し込んで椅子を引き出すようにしてもよい。
【００２０】
なお、これまでの実施の形態では、扉が開閉式の扉にされているが、本発明においては、これに限定されるものではなく、たとえば巻戸式扉とすることができる。また、これまでの実施の形態における扉および／または背もたれは、表面を無地にすることができるが、模様を施すか、または象嵌を埋め込むなどして外観の意匠性の効果を高めることができる。
【００２１】
【発明の効果】
以上説明したとおり、本発明によれば、背もたれの大きな椅子を収納できるため、長期間座っていても足腰が疲れない。
【図面の簡単な説明】
【図１】本発明の仏壇の一実施の形態を示す正面図である。
【図２】図１の仏壇の斜視図である。
【図３】図１の仏壇の扉が開いた状態および椅子を斜めに引き出した状態を示す図である。
【図４】本発明の仏壇の参考例を示す正面図である。
【図５】図４の仏壇の斜視図である。
【図６】図４の仏壇の扉が開いた状態および椅子を斜めに引き出した状態を示す図である。
【符号の説明】
Ａ、Ｂ    仏壇
１    仏壇本体
２ａ  側端部
２    側板
３    椅子
４    支持金具
５    本体
６    扉
７    仕切り板
８    安置部
９    収納部
１０    照明灯
１３    背もたれ
１４    座部
１５    脚部
１６    クッション
【図１】
0003659906.tif 000002
【図２】
0003659906.tif 000003
【図３】
0003659906.tif 000004
【図４】
0003659906.tif 000005
【図５】
0003659906.tif 000006
【図６】
0003659906.tif 000007